(57)【要約】【課題】新機種を導入した場合であっても、ケーブルを新たに購入したり作成する必要を可及的回避することができ、比較的広範囲のメーカーや機種に亘って、遊技台の通信端子と中継器の中継端子とを容易に接続することのできる接続ケーブルを提供する。【解決手段】機種によって形状が異なる遊技機それぞれの通信端子と、遊技場の集中管理を行うホストコンピュータへの中継端子とを、その両端にコネクタを設けた通信線を介して接続可能とした接続ケーブルであって、一端が前記中継端子に接続される通信線の他端側を複数本に分岐させ、当該分岐後の通信線の各先端部に前記通信端子と嵌合する機種別のコネクタを接続することとした。【選択図】図３
2010035867.tif 000002
【特許請求の範囲】
【請求項１】
機種によって形状が異なる遊技機それぞれの通信端子と、遊技場の集中管理を行うホストコンピュータへの中継端子とを、その両端にコネクタを設けた通信線を介して接続可能とした接続ケーブルであって、
一端が前記中継端子に接続される通信線の他端側を複数本に分岐させ、当該分岐後の通信線の各先端部に前記通信端子と嵌合する機種別のコネクタを接続したことを特徴とする接続ケーブル。
【請求項２】
前記分岐後の通信線と前記機種別のコネクタとの間に、雌雄型の結線コネクタを介設したことを特徴とする請求項１に記載の接続ケーブル。
【請求項３】
前記分岐後の通信線に機種識別用のタグを取り付けたことを特徴とする請求項１又は請求項２に記載の接続ケーブル。
【請求項４】
前記分岐後の通信線を結束する結束具を備えることを特徴とする請求項１〜３のいずれか１項に記載の接続ケーブル。
【請求項５】
前記遊技機は、パチンコ機又はパチスロ機であることを特徴とする請求項１〜４に記載の接続ケーブル。
【発明の詳細な説明】
【技術分野】
【０００１】
本発明は、遊技機の通信端子と、遊技場の集中管理を行うホストコンピュータへの中継端子とを接続する接続ケーブルに関する。
【背景技術】
【０００２】
従来、パチンコ店やパチスロ店などの遊技場では、複数機種の遊技機を多数取りそろえて遊技者に遊技させるようにしている。
【０００３】
特に近年では、各遊技機を集中管理するホストコンピュータを備えている遊技場が多く、このホストコンピュータにより各遊技機の出玉や大当たりの回数、始動口への入球回数等を管理するようにしている。
【０００４】
このホストコンピュータと各遊技機との通信は、遊技島に配設した中継器を介して行われており、この中継器に備えられた中継端子と、遊技機の通信端子とを接続ケーブルで接続することにより結線されている。
【０００５】
ところで、遊技機は新たな機種がメーカー各社から次々に提供されており、遊技場では遊技者のニーズに応じて新機種を導入したり、既に設置している遊技機を移動させて他の場所に設置（遊技機の入れ替え）する必要がある。
【０００６】
ところが、この新機種の導入作業や入れ替え作業は、配設されていた遊技機を取り外し、そこに新たな遊技機を入れ替えるという配線作業が伴う上、遊技場が閉店してから翌朝開店するまでの限られた時間内に行われるため、多忙を極める作業となっている。
【０００７】
中でも作業を複雑化させている原因の一つとして、前述のホストコンピュータと各遊技機との間で通信するためのケーブルの結線作業が煩雑な点が挙げられる。
【０００８】
例えば入れ替え作業を行う際には、遊技機が接続された状態の接続ケーブルを中途部で切断し、他の新たな遊技機の通信端子に嵌着した状態のコネクタから伸延する導線を、遊技機が切り離された接続ケーブルにハンダ付けや圧着端子でカシメるなどして接続するという作業が必要となっていた。
【０００９】
そこで、この煩雑な作業を解消すべく、予め遊技機側に接続しておくケーブルと、予め中継端子に接続しておくケーブルとを備え、各ケーブルの先端部には両ケーブル同士を接続する雌雄コネクタを配設した接続ケーブルが知られている（例えば、特許文献１参照。）。
【００１０】
この接続ケーブルによれば、遊技台の入れ替え作業において、他の場所から移動されてくる遊技台にも、先端部にコネクタを有するケーブルが予め備えられていることとなり、ハンダ付けやカシメの作業を無くして作業を容易にできる。
【特許文献１】特開平９−５１９８３号公報
【発明の開示】
【発明が解決しようとする課題】
【００１１】
しかしながら、上記従来の接続ケーブルでは、例えば、ある遊技場において今まで設置したことがなかった新機種を導入する場合、その新機種に予め接続しておくためのケーブルを新たに購入したり作成する必要があった。
【００１２】
本発明は、斯かる事情に鑑みてなされたものであって、新機種を導入した場合であっても、ケーブルを新たに購入したり作成する必要を可及的回避することができ、比較的広範囲のメーカーや機種に亘って、遊技台の通信端子と中継器の中継端子とを容易に接続することのできる接続ケーブルを提供する。
【課題を解決するための手段】
【００１３】
上記従来の課題を解決するために、本発明に係る接続ケーブルでは、機種によって形状が異なる遊技機それぞれの通信端子と、遊技場の集中管理を行うホストコンピュータへの中継端子とを、その両端にコネクタを設けた通信線を介して接続可能とした接続ケーブルであって、一端が前記中継端子に接続される通信線の他端側を複数本に分岐させ、当該分岐後の通信線の各先端部に前記通信端子と嵌合する機種別のコネクタを接続することとした。
【００１４】
また、本発明に係る接続ケーブルでは、下記の点にも特徴を有する。
【００１５】
（１）前記分岐後の通信線と前記機種別のコネクタとの間に、雌雄型の結線コネクタを介設したこと。
（２）前記分岐後の通信線に機種識別用のタグを取り付けたこと。
（３）前記分岐後の通信線を結束する結束具を備えること。
（４）前記遊技機は、パチンコ機又はパチスロ機であること。
【発明の効果】
【００１６】
請求項１に記載の本発明によれば、機種によって形状が異なる遊技機それぞれの通信端子と、遊技場の集中管理を行うホストコンピュータへの中継端子とを、その両端にコネクタを設けた通信線を介して接続可能とした接続ケーブルであって、一端が前記中継端子に接続される通信線の他端側を複数本に分岐させ、当該分岐後の通信線の各先端部に前記通信端子と嵌合する機種別のコネクタを接続することとしたため、新機種を導入した場合であっても、ケーブルを新たに購入したり作成する必要を可及的回避することができ、比較的広範囲のメーカーや機種に亘って、遊技台の通信端子と中継器の中継端子とを容易に接続することのできる接続ケーブルを提供することができる。
【００１７】
また、請求項２に記載の本発明によれば、前記分岐後の通信線と前記機種別のコネクタとの間に、雌雄型の結線コネクタを介設したため、分岐後の各通信線（以下、分岐線ともいう）に配設した各コネクタにはない種類のコネクタを要する遊技機が導入される場合であっても、使用頻度の低いコネクタを分岐線の中途部から容易に取り外すことができ、取り外された後の結線コネクタに、新たな遊技機用のコネクタを備える導線を接続することで対応させることができる。
【００１８】
また、請求項３に記載の本発明によれば、前記分岐後の通信線に機種識別用のタグを取り付けたため、接続ケーブルを遊技機の通信端子に接続する際に、作業者が誤って配線してしまうことを防止することができる。
【００１９】
また、請求項４に記載の本発明によれば、前記分岐後の通信線を結束する結束具を備えることとしたため、分岐線をひとまとまりにしておくことができ、結線作業をより容易に分かりやすくすることができる。
【００２０】
また、請求項５に記載の本発明によれば、前記遊技機は、パチンコ機又はパチスロ機であることとしたため、パチンコ機やパチスロ機の新機種を導入した場合であっても、ケーブルを新たに購入したり作成する必要を可及的回避することができ、比較的広範囲のメーカーや機種に亘って、遊技台の通信端子と中継器の中継端子とを容易に接続することのできる接続ケーブルとすることができる。
【発明を実施するための最良の形態】
【００２１】
本発明は、機種によって形状が異なる遊技機それぞれの通信端子と、遊技場の集中管理を行うホストコンピュータへの中継端子とを、その両端にコネクタを設けた通信線を介して接続可能とした接続ケーブルであって、一端が前記中継端子に接続される通信線の他端側を複数本に分岐させ、当該分岐後の通信線の各先端部に前記通信端子と嵌合する機種別のコネクタを接続したことを特徴とする接続ケーブルを提供するものである。
【００２２】
遊技機の通信端子は、メーカーや機種によって様々な形状を有しているが、一般には以下のような傾向がある。
【００２３】
まず、メーカー別に遊技台の通信端子に着目すると、原則としてそれぞれ異なった通信端子（通常、雌雄コネクタのメス端子）を採用している。但し、一部メーカー同士では、偶然又は必然に互換のある通信端子を備えている場合もある。
【００２４】
また、所定のメーカーから提供されるそれぞれの機種について着目すると、原則として同じメーカーであれば、異なる機種同士であっても同じ通信端子を備えていることが多い。但し、発売時期や仕様等の違いにより、異なる通信端子を備えている場合もある。
【００２５】
また、所定のメーカーのあるシリーズ化されている各機種について着目すると、機種の仕様がマイナーチェンジ（商品のデザインや性能の、部分的で小規模な変更）した場合は、一部例外もあるものの新機種と旧機種では同じ通信端子を備えている場合が多い。一方、大規模なモデルチェンジが行われた場合は、新機種と旧機種とでは異なった通信端子を備えている場合が多い。
【００２６】
このような状況の下、遊技場の視点で接続ケーブルについて考察すると、先に特許文献１として示したような接続ケーブルでは、今まで設置したことがなかった新機種を導入する場合、その新機種に予め接続しておくためのケーブルを新たに購入したり作成する必要があるため、その都度経費が嵩むこととなっていた。
【００２７】
すなわち、特許文献１に記載の接続ケーブルでは、前記一部メーカーを越えて互換があったり、新たに導入する機種が以前導入したことのあるメーカーやシリーズのものであるにも関わらず、新機種に予め接続しておくためのケーブルを新たに購入したり作成する必要が生じることとなっていた。
【００２８】
一方、本発明に係る接続ケーブルによれば、各分岐線に種々のコネクタを備えているため、前記一部メーカーを越えて互換があったり、新たに導入する機種が以前導入したことのあるメーカーやシリーズのものである場合には、今まで設置したことがなかった新機種が導入される場合であっても、ケーブルを新たに購入したり作成することを可及的回避して、遊技機の通信端子と中継器の中継端子とを接続することができ、導入作業や入れ替え作業に要する経費等を飛躍的に抑えることができる。
【００２９】
また、本発明に係る接続ケーブルでは、前記分岐後の通信線と前記機種別のコネクタとの間に、雌雄型の結線コネクタを介設すると良い。
【００３０】
新たに導入する機種が、今までに設置したことがなく、しかも、今まで設置した機種と互換のない通信端子を備えている場合であっても、使用頻度の低いコネクタが配設された分岐線の結線コネクタから通信端子コネクタを分離して、分離した後の結線コネクタ部分に新たに導入する機種に対応する通信端子コネクタを配設して使用することができる。
【００３１】
また、前記分岐後の通信線には、機種識別用のタグを取り付けると良い。ここでタグは、必ずしも札状のものである必要はなく、分岐線を挿通可能なチューブ状のものであっても良い。
【００３２】
また、前記分岐後の通信線を結束する結束具を備えるのが好ましい。この結束具は、例えば、軟質合成樹脂性の管や、軟質合成樹脂性の管を螺旋状に切断した一般にスパイラルと呼ばれる配線結束資材や、結束バンドや結束テープ等を用いることができる。
【００３３】
また、本発明に係る接続ケーブルを使用する遊技機は、パチンコ機又はパチスロ機が好ましい。前述したようにパチンコ機又はパチスロ機は、新機種の導入や、機種の入れ替え等が行われるため、本発明に係る接続ケーブルを使用することにより、これれの作業を飛躍的に効率化させることができる。
【００３４】
以下、本実施形態に係る接続ケーブルについて、図面を参照しながら詳説する。
【００３５】
〔第１実施形態〕
図１は、パチンコ遊技機13を備える遊技場Ｈを示した斜視図である。図１にも示すように、遊技場Ｈは、ホストコンピュータとしてのホールコンピュータＰを備えており、各パチンコ遊技機13,13…の出玉や大当たりの回数、始動口への入球回数等（以下、遊技情報ともいう）を管理するようにしている。
【００３６】
具体的に説明すると、遊技場Ｈには、パチンコ遊技機13を所定台数を並設してなる遊技島12が複数（本実施形態では３つ）備えられており、遊技者が所望のパチンコ遊技機13に対面して遊技可能としている。
【００３７】
また、各遊技島12,12,12には、それぞれの遊技島12,12,12に備えられたパチンコ遊技機13,13…の遊技情報を島毎に集計する集計装置11が備えられている。
【００３８】
これらの集計装置11,11,11は、前述のホールコンピュータＰと通信ケーブル10で接続されており、ホールコンピュータＰでは、各パチンコ遊技機13,13…の遊技情報を閲覧することができるよう構成されている。
【００３９】
また、遊技島12毎に配設した集計装置11と各パチンコ遊技機13,13…とは、遊技島12の内部、すなわち、パチンコ遊技機13,13…の裏面側で中継器20を介して通信可能に接続されている。
【００４０】
具体的には図２に示すように、遊技島12の内側上部近傍には、各パチンコ遊技機13,13…毎に中継器20が配設されており、各中継器20同士は通信ケーブル10で集計装置11に接続されている。なお、図２は、遊技島12の内部におけるパチンコ遊技機13の裏面を示した説明図である。
【００４１】
また、各中継器20とパチンコ遊技機13とは、本発明の要部である接続ケーブルＡでそれぞれ接続されており、同接続ケーブルＡを介して遊技情報をホールコンピュータＰとの間で通信可能としている。
【００４２】
すなわち、中継器20からは、データ通信用の延長ケーブル22が延出しており、同延長ケーブル22の端部には、図２（ｂ）に示すように、表示プレート23の表面に中継端子24（24a,24b,24c,24d,24e）を露出させて形成した中継端子部21が配設されている。
【００４３】
また、パチンコ遊技機13の裏面には、図２（ａ）及び（ｃ）に示す基板25が配設されており、同基板25上には、パチンコ遊技機13が遊技情報を送受信するための通信端子26（26a,26b,26c,26d,26e）が配設されている。
【００４４】
そして、接続ケーブルＡは、24aと26a、24bと26b、24cと26c、24dと26d、24eと26eというように、中継端子24と通信端子26とをそれぞれ一対一で接続している。
【００４５】
次に、接続ケーブルＡの具体的な構成について図３及び図４を参照しながら説明する。図３は本実施形態に係る接続ケーブルＡの構成を示した説明図、図４は本実施形態に係る接続ケーブルＡの電気的な構成を示した説明図である。
【００４６】
図３にも示すように、接続ケーブルＡは、中継端子24（本実施形態では、特賞２用中継端子24d）に接続可能な２極の中継端子側コネクタ30を備えており、同中継端子側コネクタ30に一端を接続した通信線としての２本の導線31（31a及び31b）が延出している。
【００４７】
この導線31の他端側には、各導線31毎に分岐させる分岐部32が形成されている。すなわち、図４にも示すように、本実施形態に係る接続ケーブルＡでは、導線31aを分岐部32にて通信線としての９本の分岐線33aにそれぞれ分岐し、また、導線31bを分岐部32にて通信線としての９本の分岐線33bにそれぞれ分岐している。
【００４８】
そして、一対の分岐線33a,33bの先端に後述の結線コネクタ34を形成するオス型コネクタ34aを接続して、本実施形態では計９対分のオス型コネクタ34aを備えるようにしている。なお、図３及び図４中、符号40は、結線コネクタ34やオス型コネクタ34aを集合させて形成した雌雄コネクタ部である。
【００４９】
この複数のオス型コネクタ34aの一部（本実施形態では７つのオス型コネクタ34a）には、メス型コネクタ34bが接続されており、このメス型コネクタ34bから延出する一対の分岐線33a,33bの先端部には、パチンコ遊技機13の基板25に配設されている通信端子26と嵌合する通信端子側コネクタ38がそれぞれ接続されている。
【００５０】
また、雌雄コネクタ部40と通信端子側コネクタ38,38…との間を接続する分岐線33,33…は、軟質合成樹脂により螺旋状に形成したスパイラル37で被覆されており、複数の分岐線33,33…をひとまとめにして結束部36を構成している。
【００５１】
また、本実施形態に係る接続ケーブルＡは、メス型コネクタ34bが接続されていないオス型コネクタ34aも備えている。このメス型コネクタ34bが接続されていないオス型コネクタ34aは、予備コネクタの機能を果たすものである。
【００５２】
すなわち、接続ケーブルＡに備えた通信端子側コネクタ38で対応できない通信端子26を備えるパチンコ遊技機13を導入する場合に、そのパチンコ遊技機13の通信端子に嵌合可能な通信端子側コネクタ38を配設したメス型コネクタ34bを備えるケーブルを予備コネクタに接続して、接続ケーブルＡの対応機種を増やすことができるものである。
【００５３】
そして、本実施形態に係る接続ケーブルＡの特徴的な構成の一つとして、通信端子側コネクタ38,38…は、それぞれ形状の異なった機種別のコネクタとしている。
【００５４】
例えば、図３（ｂ）に示すように、本実施形態では、Ａ〜Ｇのそれぞれ形状の異なった、機種別に接続可能な通信端子側コネクタ38,38…を配設している。
【００５５】
これらＡ〜Ｇのコネクタは、全国の遊技場Ｈで多く導入されているパチンコ遊技機13の通信端子26に嵌合可能な通信端子側コネクタ38としており、このような構成とすることで、○○〜○○％の機種の通信端子26を中継端子24に接続させることができるのである。
【００５６】
そして、図４に示すように、たとえば「Ｅ’」という形状の通信端子を有するパチンコ遊技機13を導入する場合には、この導入するパチンコ遊技機が新たに導入する機種が以前導入したことのあるメーカーやシリーズのものであったり、以前導入したことのあるパチンコ遊技機とメーカーを越えて互換がある場合には、今まで導入したことのない機種であっても、接続ケーブルＡに備えたＡ〜Ｇの通信端子側コネクタ38,38…のなかから、「Ｅ」のコネクタを選択して接続することにより、ケーブルを新たに購入したり作成する必要なく、パチンコ遊技機13の通信端子26と中継器20の中継端子24とを容易に接続することができる。
【００５７】
すなわち、本実施形態に係る接続ケーブルＡによれば、今まで遊技場Ｈ内に導入したことのないパチンコ遊技機13を導入する場合であっても、予め複数接続している機種別に接続可能なコネクタの中から選択して接続することにより、ケーブルを新たに購入したり作成する必要を可及的回避することができ、比較的広範囲のメーカーや機種に亘って、パチンコ遊技機13の通信端子26と中継器20の中継端子24とを容易に接続することができる。
【００５８】
また、今までに導入したことのないパチンコ遊技機13であって、同パチンコ遊技機13の通信端子26が、接続ケーブルＡに予め複数接続している機種別に接続可能なコネクタでは対応できない場合であっても、図５（ａ）及び（ｂ）に示すあらたな通信端子側コネクタ38とメス型コネクタ34bとを分岐線33a,33bで接続したケーブルを接続ケーブルＡのオス型コネクタ34aに接続することで、特許文献１に記載のような従来の接続ケーブルに比して、容易かつ安価に通信端子26と中継端子24とを接続することができる。
【００５９】
なお、接続対象となるオス型コネクタ34aは、予備コネクタとしてのオス型コネクタ34aであっても良く、また、使用頻度の低い通信端子側コネクタ38が接続されているメス型コネクタ34bを取り外して生じたオス型コネクタ34aであっても良い。
【００６０】
また、本実施形態では、接続ケーブルＡの導線31に通信される信号の種類を示すタグ39を付しており、分岐後の通信線に機種識別用のタグ39を取り付けている。
【００６１】
このような構成とすることにより、作業時の結線ミスを大幅に削減させることができ、作業負担の軽減や労働時間の削減をおこなうことができる。
【００６２】
上述してきたように、本実施形態に係る接続ケーブルは、機種によって形状が異なる遊技機（例えば、パチンコ遊技機13）それぞれの通信端子（例えば、通信端子26）と、遊技場（例えば、遊技場Ｈ）の集中管理を行うホストコンピュータ（例えば、ホールコンピュータＰ）への中継端子（例えば、中継端子24）とを、その両端にコネクタ（例えば、通信端子側コネクタ38や中継端子側コネクタ30）を設けた通信線（例えば、導線31や分岐線33）を介して接続可能とした接続ケーブルであって、一端が前記中継端子に接続される通信線の他端側を複数本に分岐させ、当該分岐後の通信線（例えば、分岐線33）の各先端部に前記通信端子と嵌合する機種別のコネクタ（例えば、通信端子側コネクタ38）を接続したため、新機種を導入した場合であっても、ケーブルを新たに購入したり作成する必要を可及的回避することができ、比較的広範囲のメーカーや機種に亘って、遊技台の通信端子と中継器の中継端子とを容易に接続することのできる接続ケーブルを提供することができる。
【００６３】
〔第２実施形態〕
次に、他の実施形態に係る接続ケーブルについて、図６及び図７を用いて説明する。図６は他の実施形態に係る接続ケーブルの構成を示した説明図、図７は他の実施形態に係る接続ケーブルの電気的な構成を示した説明図である。なお、便宜上、前述の実施形態と同様の構成部分には同じ符号を用いて詳細な説明を省略する場合がある。
【００６４】
図６及び図７に示す接続ケーブルＢは、前述の接続ケーブルＡとほぼ同様の構成を有しているが、中継端子側コネクタ30と、通信端子側コネクタ38,38…との間に第１の分岐部50及び第２の分岐部51が形成されている点に特徴を有している。
【００６５】
この接続ケーブルＢについて具体的に説明すると、接続ケーブルＢは、前述の中継端子24に接続可能な２極の中継端子側コネクタ30を備えており、同中継端子側コネクタ30に一端を接続した通信線としての２本の導線31（31a及び31b）が延出している。
【００６６】
この導線31の中途部他端側近傍には、第１分岐部50が設けられており、導線31a及び導線31bがそれぞれ３本づつ分岐され、それぞれ一対ずつ組み合わされて第１分岐線52,52,52として延出している。
【００６７】
また、この第１分岐部50は、熱収縮チューブ55によって被覆されており、外部からの摩擦等により、分岐配線がほつれたりしないよう保護している。
【００６８】
第１分岐線52,52,52の先端部には、オス型コネクタ34aがそれぞれ配設されており、雌雄コネクタ部40を形成している。
【００６９】
雌雄コネクタ部40は、第１分岐線52,52,52にそれぞれ接続されたオス型コネクタ34aに対し、メス型コネクタ34bを挿入することにより、結線コネクタ34として機能するようにしている。
【００７０】
特に、本実施形態では、３つのオス型コネクタ34a,34a,34aのうちの一カ所にメス型コネクタ34bを接続して雌雄コネクタ部40を形成し、さらに第１分岐線52を延長させている。
【００７１】
この第１分岐線52は、さらに、第２分岐部51にて複数対（本実施形態では６対）の第２分岐線53,53,…に分岐させている。
【００７２】
この第２分岐部51内では、第１分岐線52を構成する通信線52a及び52bがそれぞれ６本づつ分岐され、それぞれ一対ずつ組み合わされて第２分岐線53,53,…として延出している。
【００７３】
そして、この第２分岐線53,53,…の各先端部には、それぞれ通信端子側コネクタ38,38…を配設して、基板25の通信端子26と接続可能としている。
【００７４】
これらの通信端子側コネクタ38,38…は、前述の実施形態と同様、全国の遊技場Ｈで多く導入されているパチンコ遊技機13の通信端子26に嵌合可能な通信端子側コネクタ38としている。すなわち、通信端子側コネクタ38,38…は、それぞれ形状の異なった機種別に接続可能な通信端子側コネクタ38,38…を配設している。
【００７５】
なお、本実施形態に係る接続ケーブルＢでは、第２分岐線53,53,…の各通信端子側コネクタ38,38…近傍に、前述の帯状のタグ39,39,…に替えて、可撓性を有するチューブ状のタグ54,54,…を配設している。すなわち、タグ54,54,…は、内部に第２分岐線53,53,…を挿通させた状態で配設している。
【００７６】
このよなチューブ状のタグ54,54,…によっても、各通信端子側コネクタ38,38…のメーカーや機種を明示することができ、誤配線等を可及的防止することができる。
【００７７】
また、本実施形態に係る接続ケーブルＢは、第１分岐部50において、メス型コネクタ34bが接続されていないオス型コネクタ34aも備えている。このメス型コネクタ34bが接続されていないオス型コネクタ34aは、予備コネクタの機能を果たすものである。
【００７８】
すなわち、接続ケーブルＢに備えた通信端子側コネクタ38で対応できない通信端子26を備えるパチンコ遊技機13を導入する場合に、そのパチンコ遊技機13の通信端子に嵌合可能な通信端子側コネクタ38を配設したメス型コネクタ34bを備えるケーブルを予備コネクタに接続して、接続ケーブルＢの対応機種を増やすことができるものである。
【００７９】
上述してきた他の実施形態に係る接続ケーブルＢによっても、機種によって形状が異なる遊技機（例えば、パチンコ遊技機13）それぞれの通信端子（例えば、通信端子26）と、遊技場（例えば、遊技場Ｈ）の集中管理を行うホストコンピュータ（例えば、ホールコンピュータＰ）への中継端子（例えば、中継端子24）とを、その両端にコネクタ（例えば、通信端子側コネクタ38や中継端子側コネクタ30）を設けた通信線（例えば、導線31や第１分岐線52,52,52や第２分岐線53,53,…）を介して接続可能とした接続ケーブルであって、一端が前記中継端子に接続される通信線の他端側を複数本に分岐させ、当該分岐後の通信線（例えば、第２分岐線53,53,…）の各先端部に前記通信端子と嵌合する機種別のコネクタ（例えば、通信端子側コネクタ38）を接続したため、新機種を導入した場合であっても、ケーブルを新たに購入したり作成する必要を可及的回避することができ、比較的広範囲のメーカーや機種に亘って、遊技台の通信端子と中継器の中継端子とを容易に接続することのできる接続ケーブルを提供することができる。
【００８０】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【００８１】
例えば、上述してきた実施形態では、遊技機をパチンコ遊技機13として説明してきたが、特にこれに限定されるものではなく、遊技機をパチスロ機としても良い。
【００８２】
すなわち、遊技島12の中継器20に備えられた中継端子24とパチスロ機に備えられた通信端子とを、本発明に係る接続ケーブルで接続するようにしても良い。
【００８３】
また、上述してきた実施形態では、コネクタの形状を具体的に示して説明してきたが、この形状は説明を容易とするものであって、何等本発明を限定するものではなく、機種等に応じて適宜変更可能であることは言うまでもない。
【００８４】
また、コネクタや端子の雌雄についても、目的とする通信線が互いに接続可能であれば、それぞれ反転して使用してもよい。
【００８５】
また、第１実施形態では分岐線33a,33bの分岐の数を９本、第２実施形態では第２分岐線53,53,…の分岐の数を６本としたが、特にこれに限定されるものではなく、市場の動向や遊技場Ｈの導入機種の傾向に応じて分岐の数を適宜増減させるようにしても良い。
【図面の簡単な説明】
【００８６】
【図１】パチンコ遊技機を備える遊技場を示した斜視図である。
【図２】遊技島の内部におけるパチンコ遊技機の裏面を示した説明図である。
【図３】第１実施形態に係る接続ケーブルの構成を示した説明図である。
【図４】第１実施形態に係る接続ケーブルの電気的な構成を示した説明図である。
【図５】第１実施形態に係る接続ケーブルに接続可能なコネクタを示した説明図である。
【図６】第２実施形態に係る接続ケーブルの構成を示した説明図である。
【図７】第２実施形態に係る接続ケーブルの電気的な構成を示した説明図である。
【符号の説明】
【００８７】
13  パチンコ遊技機
24  中継端子
26  通信端子
30  中継端子側コネクタ
31  導線
32  分岐部
33  分岐線
34a  オス型コネクタ
34b  メス型コネクタ
34  結線コネクタ
36  結束部
37  スパイラル
38  通信端子側コネクタ
39  タグ
40  雌雄コネクタ部
50  第１分岐部
51  第２分岐部
52a,52b  通信線
52  第１分岐線
53  第２分岐線
54  タグ
55  熱収縮チューブ
Ａ  接続ケーブル
Ｂ  接続ケーブル
Ｈ  遊技場
Ｐ  ホールコンピュータ
【図１】
2010035867.tif 000003
【図２】
2010035867.tif 000004
【図３】
2010035867.tif 000005
【図４】
2010035867.tif 000006
【図５】
2010035867.tif 000007
【図６】
2010035867.tif 000008
【図７】
2010035867.tif 000009